(57)【要約】【課題】使い勝手がよい上に保管もしやすい計量スプーンセットを提供する。【解決手段】計量部１２、２２、３２のサイズの異なる複数の計量スプーン１０、２０、３０と、これら複数の計量スプーンの柄１１、２１、３１の基端部１１ｂ、２１ｂ、３１ｂを束ねて保持するキャップ型のホルダ５０と、を具備する計量スプーンセットであって、各計量スプーンの柄は、広幅面を上下に向けた帯板状をなし、各計量スプーンの計量部は、大きいサイズのものを下側にし小さいサイズのものを上側にして、柄の基端部を揃えた状態で全部の計量スプーンを順番に重ねたときに、大きいサイズの下側の計量部の内側に小さいサイズの上側の計量部の底部が両者の間に隙間Ｓを保った状態で入り込むような相似形状に形成され、ホルダは、全部の計量スプーンの柄を重ねた状態にしたときに、その重ねた柄の基端部に着脱自在に嵌合する弾性材料製のキャップ型のものとして形成され、このホルダの頂部に、フックなどに対する引っ掛けリング５１が設けられている。【選択図】図１
0003130626.tif 000002
【実用新案登録請求の範囲】
【請求項１】
柄の先端部に設けられた椀形の計量部のサイズが異なる複数の計量スプーンと、
これら複数の計量スプーンの柄の基端部を束ねて保持するホルダと、
を具備する計量スプーンセットであって、
前記各計量スプーンの柄は、広幅面を上下に向けた帯板状をなし、
前記各計量スプーンの計量部は、大きいサイズのものを下側にし小さいサイズのものを上側にして、柄の基端部を揃えた状態で全部の計量スプーンを順番に重ねたときに、大きいサイズの下側の計量部の内側に小さいサイズの上側の計量部の底部が両者の間に隙間を保った状態で入り込むような相似形状に形成され、
前記ホルダは、全部の計量スプーンの柄を重ねた状態にしたときに、その重ねた柄の基端部に着脱自在に嵌合し、且つ、嵌合した状態で自身の縮径方向の弾性力により、重ねた柄の基端部を外周から締め付ける力を発揮し得る弾性材料製のキャップ型のものとして形成され、
さらに、このキャップ型のホルダの頂部に、フックなどに対する引っ掛けリングが設けられていることを特徴とする計量スプーンセット。
【請求項２】
請求項１に記載の計量スプーンセットであって、
前記各計量スプーンの計量部の上端開口縁がすり切り可能に平坦に形成されると共に、各計量スプーンの計量部の内周面に、前記上端開口縁と平行をなす中間目盛り線が設けられていることを特徴とする計量スプーンセット。
【請求項３】
請求項２に記載の計量スプーンセットであって、
前記各計量スプーンの計量部の底面が、前記中間目盛り線と平行をなすフラット面として形成されていることを特徴とする計量スプーンセット。
【請求項４】
請求項２または３に記載の計量スプーンセットであって、
前記各計量スプーンが色違いの透明樹脂成形品で構成されていることを特徴とする計量スプーンセット。
【請求項５】
請求項３〜５のいずれか１項に記載の計量スプーンセットであって、
前記各計量スプーンの計量部が、計量スプーンを重ねたときに、外側の計量スプーンの中間目盛り線の位置に対し、内側の計量スプーンの底面の高さが、同じ位置か上側に位置するように構成されていることを特徴とする計量スプーンセット。
【考案の詳細な説明】
【技術分野】
【０００１】
本考案は、調味料や料理の材料などを計量するための計量スプーンセットに関するものである。
【背景技術】
【０００２】
料理用の計量スプーンセットは、主に大さじと小さじ（ここでは、計量スプーンと言う）のセットからなり、大さじは１５ｍｌ、小さじは５ｍｌの容量となっている。また、それに２．５ｍｌの容量や、更に小さな容量の小さじを加えたセットもある。
【０００３】
各計量スプーンは、１本１本がバラバラになっているのものもあれば（例えば、特許文献１参照）、柄の基端部をリングで連結してまとめたものもある（例えば、特許文献２参照）。
【０００４】
【特許文献１】特開２００３−１５６３７７号公報（図１）
【特許文献２】特開２００４−４１２６号公報（図１０）
【考案の開示】
【考案が解決しようとする課題】
【０００５】
ところで、計量スプーンが１本１本がバラバラになっているものは、使いやすいという利点はあるものの、保管するときにバラバラになってしまうので、次に探すのに苦労する。また、１本１本をフックなどに掛けることもできるが、そうすると、保管するのも使用するのも煩わしくなるという問題がある。
【０００６】
また、計量スプーンの柄の基端部をリングで連結したものは、リングをフックに引っかけるなどして容易にまとめて保管できる利点はあるものの、１本を使うときに他のものが邪魔になるので、使いにくいという問題がある。
【０００７】
本考案は、上記事情を考慮し、使い勝手がよい上に保管もしやすい計量スプーンセットを提供することを目的とする。
【課題を解決するための手段】
【０００８】
請求項１の考案は、柄の先端部に設けられた椀形の計量部のサイズが異なる複数の計量スプーンと、これら複数の計量スプーンの柄の基端部を束ねて保持するホルダと、を具備する計量スプーンセットであって、前記各計量スプーンの柄は、広幅面を上下に向けた帯板状をなし、前記各計量スプーンの計量部は、大きいサイズのものを下側にし小さいサイズのものを上側にして、柄の基端部を揃えた状態で全部の計量スプーンを順番に重ねたときに、大きいサイズの下側の計量部の内側に小さいサイズの上側の計量部の底部が両者の間に隙間を保った状態で入り込むような相似形状に形成され、前記ホルダは、全部の計量スプーンの柄を重ねた状態にしたときに、その重ねた柄の基端部に着脱自在に嵌合し、且つ、嵌合した状態で自身の縮径方向の弾性力により、重ねた柄の基端部を外周から締め付ける力を発揮し得る弾性材料製のキャップ型のものとして形成され、さらに、このキャップ型のホルダの頂部に、フックなどに対する引っ掛けリングが設けられていることを特徴とする。
【０００９】
請求項２の考案は、請求項１に記載の計量スプーンセットであって、前記各計量スプーンの計量部の上端開口縁がすり切り可能に平坦に形成されると共に、各計量スプーンの計量部の内周面に、前記上端開口縁と平行をなす中間目盛り線が設けられていることを特徴とする。
【００１０】
請求項３の考案は、請求項２に記載の計量スプーンセットであって、前記各計量スプーンの計量部の底面が、前記中間目盛り線と平行をなすフラット面として形成されていることを特徴とする。
【００１１】
請求項４の考案は、請求項２または３に記載の計量スプーンセットであって、前記各計量スプーンが色違いの透明樹脂成形品で構成されていることを特徴とする。
【００１２】
請求項５の考案は、請求項３〜５のいずれか１項に記載の計量スプーンセットであって、前記各計量スプーンの計量部が、計量スプーンを重ねたときに、外側の計量スプーンの中間目盛り線の位置に対し、内側の計量スプーンの底面の高さが、同じ位置か上側に位置するように構成されていることを特徴とする。
【考案の効果】
【００１３】
請求項１の考案によれば、全部の計量スプーンを、大きいサイズのものを下側にし、小さいサイズのものを上側にして、柄の基端部を揃えた状態で順番に重ね合わせ、その重ね合わせた柄の基端部にキャップ型のホルダを嵌合させることにより、バラものの計量スプーンでありながらも、１つにまとめて保持することができ、そのホルダの引っ掛けリングを利用して、フックなどに引っ掛けて保管することができる。
【００１４】
その際、キャップ型のホルダが弾性材料でできていて、嵌合状態において外周から締め付け力を発揮するようにして構成してあるので、計量スプーンの柄の基端部にホルダを嵌めるだけで、計量スプーンを抜け落ちないように保持することができる。
【００１５】
また、キャップ型のホルダを取り外せば、計量スプーンを１本１本ばらして使うことができるので、使い勝手がよい。
【００１６】
また、計量スプーンを重ね合わせた状態で、外側の計量部と内側の計量部の間に隙間があくようにしてあるので、たとえ濡れた状態で重ね合わせた場合でも、自然に計量部を乾かすことができる。
【００１７】
請求項２の考案によれば、各計量スプーンの計量部に砂糖や塩等を山盛りすることにより、山盛り一杯の容量を計量することができる。また、計量部の上端開口縁ですり切りすることにより、すり切り一杯の容量を計量することができる。また、計量部内の被計量物の上端の位置と中間メモリ線とを見比べることにより、中間容量を計量することができる。
【００１８】
請求項３の考案によれば、計量スプーンの計量部の底面をテーブル面など水平面上に載置することにより、液体などの被計量物の表面の位置を中間目盛りと正確に見比べることができるので、正確な計量を行うことができる。
【００１９】
請求項４の考案によれば、計量スプーンを透明樹脂で構成したので、計量部の外側から水平な視線で見ることにより、内部の被計量物の容量を確認することができる。また、計量スプーンを色違いにしたことにより、見た目のサイズと色で大小の計量スプーンを区別することが可能であり、子供などに計量スプーンの違いを指示することも容易である。
【００２０】
請求項５の考案によれば、例えば、２つの計量スプーンを重ねた状態で使うことにより、両方の計量スプーンで所定量の計量を同時に行うことができる。即ち、例えば、中間目盛り線がすり切り容量の半分の容量だとすると、重ねた状態の下側の大きな計量スプーンで半分の容量を量ることができると同時に、上側の小さな計量スプーンで、すり切り容量あるいは半分の容量を量ることができる。
【００２１】
また、重ね合わせた状態で、上側の計量スプーンの底部が下側の計量スプーンの内部に入り込むようになっているので、その入り込む部分の容量Ｂを決めておけば、例えば、下側の計量スプーン（例えば、容量Ａ）に液体を入れ、その状態で上側の計量スプーンを重ねて、液体を溢れんばかりにすることにより、下側の計量スプーンにて「Ａ−Ｂ」の容量を計測することができる。
【考案を実施するための最良の形態】
【００２２】
以下、本考案の実施形態を図面に基づいて説明する。
図１は実施形態の計量スプーンセットの保管時の状態を示す図で、（ａ）は平面図、（ｂ）は側面図、図２は計量スプーンを使用するためにバラした状態を示し、（ａ）は大きい計量スプーン（大さじ）、（ｂ）は小さい計量スプーン（小さじ）、（ｃ）はより小さい計量スプーン（半小さじ）を示す斜視図である。ここでは、便宜的に、大中小の計量スプーンと言うことにする。
【００２３】
この実施形態の計量スプーンセットは、大中小とサイズの異なる３つの計量スプーン１０、２０、３０と、キャップ型のホルダ５０との組み合わせよりなる。各計量スプーン１０、２０、３０は、柄１１、２１、３１の先端部１１ａ、２１ａ、３１ａに椀形の計量部１２、２２、３２を設けたもので、主に計量部１２、２２、３２のサイズが異なっている。ホルダ５０は、これら３本の計量スプーン１０、２０、３０の柄１１、２１、３１の基端部１１ｂ、２１ｂ、３１ｂを束ねて保持するものである。各計量スプーン１０、２０、３０の柄１１、２１、３１は、広幅面を上下に向けた帯板状をなしており、広幅面を合わせることで、安定した状態で重ねられるようになっている。また、各柄１１、２１、３１の基端部１１ｂ、２１ｂ、３１ｂには、１本でフックにぶら下げるときなどに使用する貫通孔１８、２８、３８が設けられている。
【００２４】
ここで、大の計量スプーン（いわゆる大さじ）１０は１５ｍｌの容量、中の計量スプーン（いわゆる小さじ）２０は５ｍｌの容量、小の計量スプーン（いわゆる半小さじ）３０は２．５ｍｌの容量にそれぞれ設定されている。また、色で区別できるように、各計量スプーン１０、２０、３０は、色違いの透明樹脂成形品で構成されている。
【００２５】
各計量スプーン１０、２０、３０の計量部１２、２２、３２は、大きいサイズのものを下側にし、小さいサイズのものを上側にして、柄１１、２１、３１の基端部１１ｂ、２１ｂ、３１ｂを揃えた状態で全部の計量スプーン１０、２０、３０を順番に重ねたときに、大きいサイズの下側の計量部１０、２０の内側に小さいサイズの上側の計量部２０、３０の底部が、両者の間に隙間Ｓを保った状態で入り込むような相似形状に形成されている。
【００２６】
また、各計量スプーン１０、２０、３０の計量部１２、２２、３２の上端開口縁は、すり切り可能に平坦に形成され、各計量スプーン１０、２０、３０の計量部１２、２２、３２の内周面には、各上端開口縁と平行をなす中間目盛り線１３、２３、３３が設けられている。この中間目盛り線１３、２３、３３は、各容量のちょうど半分の位置に設定されている。また、各計量スプーン１０、２０、３０の計量部１２、２２、３２の底面１５、２５、３５は、中間目盛り線１３、２３、３３と平行をなすフラット面として形成されている。
【００２７】
また、各計量スプーン１０、２０、３０の計量部１２、２２、３２は、計量スプーン１０、２０、３０を重ねたときに、外側の計量スプーン１０、２０の中間目盛り線１３、２３の位置に対し、内側の計量スプーン２０、３０の底面２５、３５の高さが、同じ位置か上側に位置するように構成されている。
【００２８】
また、キャップ型のホルダ５０は、全部の計量スプーン１０、２０、３０の柄１１、２１、３１を重ねた状態にしたときに、その重ねた柄１１、２１、３１の基端部１１ｂ、２１ｂ、３１ｂに着脱自在に嵌合する嵌合穴５０ａを有しており、嵌合した状態で、自身の縮径方向の弾性力により、重ねた柄１１、２１、３１の基端部１１ｂ、２１ｂ、３１ｂを外周から締め付ける力を発揮し得るきつめのサイズに形成されている。また、ホルダ５０の頂部には、キッチンのフックなどに引っ掛けるための引っ掛けリング５１が設けられている。
【００２９】
次に作用を説明する。
まず、計量スプーン１０、２０、３０を保管する場合は、図１に示すように、全部（３本）の計量スプーン１０、２０、３０を、大きいサイズのものを下側にし、小さいサイズのものを上側にして、柄１１、２１、３１の基端部１１ｂ、２１ｂ、３１ｂを揃えた状態で、順番に重ね合わせる。そして、その重ね合わせた柄１１、２１、３１の基端部１１ｂ、２１ｂ、３１ｂにキャップ型のホルダ５０を装着する。そうすることにより、バラものの計量スプーン１０、２０、３０でありながらも、１つにまとめて保持することができ、そのホルダ５０の引っ掛けリング５１を利用して、フックなどに引っ掛けて保管することができる。
【００３０】
その際、キャップ型のホルダ５０が弾性材料（例えばゴム）でできていて、柄１１、２１、３１の基端部１１ｂ、２１ｂ、３１ｂに嵌合させた状態において、外周から締め付け力を発揮するようにして構成してあるので、計量スプーン１０、２０、３０の柄１１、２１、３１の基端部１１ｂ、２１ｂ、３１ｂにホルダ５０を嵌めるだけで、計量スプーン１０、２０、３０を抜け落ちないように保持することができる。
【００３１】
また、計量スプーン１０、２０、３０を重ね合わせた状態で、外側の計量スプーン１０、２０の計量部１２、２２と内側の計量スプーン２０、３０の計量部２２、３３の間に隙間Ｓがあくように設定してあるので、たとえ濡れた状態で重ね合わせた場合でも、自然に計量部１２、２２、３３の内外周面を乾かすことができる。
【００３２】
また、計量スプーン１０、２０、３０を使用する場合は、キャップ型のホルダ５０を取り外せば、各計量スプーン１０、２０、３０を、１本１本ばらして使うことができるようになるので、使い勝手のよさを発揮できる。
【００３３】
各計量スプーン１０、２０、３０の使い方は通常どおりで、すり切り一杯にすることで、１５ｍｌ、５ｍｌ、２．５ｍｌの各計量をすることができる。また、各中間目盛り線１３、２３、３３の位置で、７．５ｍｌ、２．５ｍｌ、１．２５ｍｌを計量することができる。その際、計量スプーン１０、２０、３０を透明樹脂で構成しているので、計量部１２、２２、３２の外側から水平な視線で見ることにより、内部の被計量物の容量を確認することができる。また、砂糖や塩等を山盛りすることにより、山盛り一杯の容量を計量することができる。
【００３４】
また、計量スプーン１０、２０、３０の計量部１２、２２、３２の底面１５、２５、３５をテーブル面など水平面上に載置することにより、液体などの被計量物の表面の位置を、中間目盛り線１３、２３、３３と正確に見比べることができるので、正確な計量を行うことができる。
【００３５】
また、通常の使い方ではないが、次のような使い方も可能である。
例えば、２つの計量スプーン１０、２０を重ねた状態で使うことにより、両方の計量スプーン１０、２０で所定量の計量を同時に行うことができる。即ち、例えば、重ねた状態の下側の大きな計量スプーン１０で半分の容量を量ることができると同時に、上側の小さな計量スプーン２０で、すり切り一杯の容量あるいは半分の容量を量ることができる。具体的には、下側の計量スプーン１０の中間目盛り線１５で７．５ｍｌを計量することができると共に、上側の計量スプーン２０のすり切り一杯または中間目盛り線２５で５ｍｌまたは２，５ｍｌを計量することができる。従って、両方とも同じ液体を計量する場合は、合計で１２．５ｍｌまたは１０ｍｌを計量することができる。
【００３６】
また、重ね合わせた状態で、上側の計量スプーン２０の底部が下側の計量スプーン１０の内部に入り込むようになっているので、その入り込む部分の容量Ｂを決めておけば、例えば、下側の計量スプーン１０（例えば、容量Ａ＝１５ｍｌ）に液体を入れ、その状態で上側の計量スプーン２０を重ねて、液体を溢れんばかりにすることにより、下側の計量スプーン１０にて「Ａ−Ｂ」の容量を計測することができる。例えば、Ｂ＝５ｍｌに設定することにより、下側の計量スプーン１０で「１５ｍｌ−５ｍｌ＝１０ｍｌ」を計量することができる。つまり、下側の計量スプーン１０にＸ液を入れ、上側の計量スプーン２０にＹ液を入れると、それぞれの計量スプーン１０、２０でＸ液１０ｍｌとＹ液５ｍｌを同時に計量することができる。
【００３７】
なお、上記実施形態では、３本の計量スプーン１０、２０、３０を組み合わせた場合を説明したが、２本の計量スプーンの組み合わせでもよいし、３本以上の計量スプーンの組み合わせでもよい。
【００３８】
また、キャップ型のホルダ５０の材質としては、ゴムを代表例として考えているが、軟質で弾力性を持つ樹脂で作成してもよい。
【図面の簡単な説明】
【００３９】
【図１】本考案の実施形態の計量スプーンセットの保管時の状態を示す図で、（ａ）は平面図、（ｂ）は側面図である。
【図２】同実施形態において、計量スプーンを使用するためにバラした状態を示し、（ａ）は大きい計量スプーン（大さじ）、（ｂ）は小さい計量スプーン（小さじ）、（ｃ）はより小さい計量スプーン（半小さじ）を示す斜視図である。
【符号の説明】
【００４０】
１０，２０，３０  計量スプーン
１１，２１，３１  柄
１１ａ，２１ａ，３１ａ  先端部
１１ｂ，２１ｂ，３１ｂ  基端部
１２，２２，３２  計量部
１３，２３，３３  中間目盛り線
１５，２５，３５  底面
５０  ホルダ
５１  引っ掛けリング
【図１】
0003130626.tif 000003
【図２】
0003130626.tif 000004
【手続補正書】
【提出日】平成19年1月25日(2007.1.25)
【手続補正１】
【補正対象書類名】実用新案登録請求の範囲
【補正対象項目名】請求項５
【補正方法】変更
【補正の内容】
【請求項５】
請求項２〜４のいずれか１項に記載の計量スプーンセットであって、
前記各計量スプーンの計量部が、計量スプーンを重ねたときに、外側の計量スプーンの中間目盛り線の位置に対し、内側の計量スプーンの底面の高さが、同じ位置か上側に位置するように構成されていることを特徴とする計量スプーンセット。
【手続補正２】
【補正対象書類名】明細書
【補正対象項目名】００１２
【補正方法】変更
【補正の内容】
【００１２】
請求項５の考案は、請求項２〜４のいずれか１項に記載の計量スプーンセットであって、前記各計量スプーンの計量部が、計量スプーンを重ねたときに、外側の計量スプーンの中間目盛り線の位置に対し、内側の計量スプーンの底面の高さが、同じ位置か上側に位置するように構成されていることを特徴とする。